(57)【要約】【課題】  リールからの釣り糸をガイドする糸ガイド孔と糸ガイド孔を通過した釣り糸を糸挿通経路にガイドする孔との位置関係を容易に現出できて、所期通りの釣り糸に対する収束を掛けることのできる中通し竿を提供する。【解決手段】  元竿１に、その元竿１の内部に形成された糸挿通経路Ａに釣り糸ｂを導入する開口４を形成するとともに、スピニングリールからの釣り糸ｂを糸挿通経路Ａに誘導する釣り糸ガイド５を設ける。釣り糸ガイド５の枠フレーム６に、スピニングリールからの釣り糸ｂを誘導する第１糸ガイド孔７と、第１糸ガイド孔７を通過した釣り糸ｂを糸挿通経路Ａに誘導する第２糸ガイド孔８とを形成する。【選択図】        図２
2008035770.tif 000002
【特許請求の範囲】
【請求項１】
竿体に、その竿体の内部に形成された糸挿通経路に釣り糸を導入する開口を形成するとともに、リールからの釣り糸を前記開口に誘導する釣り糸ガイドを設け、前記釣り糸ガイドの枠フレームに、前記リールからの釣り糸を誘導する第１糸ガイド孔と、前記第１糸ガイド孔を通過した釣り糸を前記開口に誘導する第２糸ガイド孔とを形成し、前記釣り糸ガイドを竿体に取り付けた状態で、前記第１糸ガイド孔の軸線方向を前記リールに向かう方向に、かつ、前記第２糸ガイド孔の軸線方向を前記開口に向かう竿体半径方向に設定してある中通し竿。
【請求項２】
前記枠フレームが竿体に取り付け固定される主フレーム部を設け、前記主フレーム部の前記リールに向かう面に第１糸ガイド孔を形成するとともに、前記主フレーム部より前記開口に沿った姿勢の補助フレーム部を延出し、前記補助フレーム部に前記第２糸ガイド孔を形成してある請求項１記載の中通し竿。
【発明の詳細な説明】
【技術分野】
【０００１】
本発明は、竿体に、その竿体の内部に形成された糸挿通経路に釣り糸を導入する開口を形成するとともに、リールからの釣り糸を前記糸挿通経路に誘導する釣り糸ガイドを設けてある中通し竿に関する。
【背景技術】
【０００２】
元竿に内部の糸挿通経路に通じる開口を形成し、この開口の縁部に硬質のガイドリングを装着して、釣り糸を糸挿通経路に誘導する開口としていた。一方、この開口の外側には釣り糸ガイドが取り付けられ、この釣り糸ガイドの枠フレームに糸ガイド孔を形成し、この糸ガイド孔に硬質のガイドリングを取りつけて、リールから繰出された釣り糸を開口に案内する機能を発揮させていた（特許文献１参照）。
【０００３】
【特許文献１】特開平１１−１３７１３０号公報（公報第２欄の第１４行〜第２０及び、図１）
【発明の開示】
【発明が解決しようとする課題】
【０００４】
上記構成の場合に、開口は竿体に形成され、糸ガイド孔は釣り糸ガイドに形成されていた。つまり、開口と糸ガイド孔とは別個の部材に形成されていた。したがって、開口と糸ガイド孔とが竿体の周方向でズレを生じた場合には、糸ガイド孔と開口とで徐々に絞りを掛けてリールから繰出された釣り糸を収束させ、糸挿通経路内に投入することとしていることに反して、位置ズレに起因して糸ガイド孔と開口とが重なってできる釣り糸の通過孔径が実質的に小さくなって過度に絞りを掛けることとなり、釣り糸の繰出し又は巻き上げに大きな抵抗を与える要因となっていた。
【０００５】
本発明の目的は、リールからの釣り糸をガイドする糸ガイド孔と糸ガイド孔を通過した釣り糸を糸挿通経路にガイドする孔との位置関係を容易に現出できて、所期通りの釣り糸に対する収束を掛けることのできる中通し竿を提供する点にある。
【課題を解決するための手段】
【０００６】
〔構成〕
請求項１に係る発明の特徴構成は、竿体に、その竿体の内部に形成された糸挿通経路に釣り糸を導入する開口を形成するとともに、リールからの釣り糸を前記開口に誘導する釣り糸ガイドを設け、前記釣り糸ガイドの枠フレームに、前記リールからの釣り糸を誘導する第１糸ガイド孔と、前記第１糸ガイド孔を通過した釣り糸を前記開口に誘導する第２糸ガイド孔とを形成し、前記釣り糸ガイドを竿体に取り付けた状態で、前記第１糸ガイド孔の軸線方向を前記リールに向かう方向に、かつ、前記第２糸ガイド孔の軸線方向を前記開口に向かう竿体半径方向に設定してある点にあり、その作用効果は次の通りである。
【０００７】
〔作用〕
従来、竿体に設けていた第２糸ガイド孔を、第１糸ガイド孔を形成した枠フレームに設けることによって、第１糸ガイド孔と第２糸ガイド孔とを同一対象物である枠フレームに設けることができる。これによって、第１糸ガイド孔と第２糸ガイド孔との位置関係が、枠フレームを竿体に取り付けることによっても、変化することがない。
したがって、リールから繰出された釣り糸に対して第１糸ガイド孔と第２糸ガイド孔とで所期通りの収束を掛けることができ、竿体の糸挿通経路内に円滑に誘導することができる。
【０００８】
〔効果〕
第１糸ガイド孔と第２糸ガイド孔とを同一対象物である枠フレームに設けるという改良を施すだけで、第１糸ガイド孔と第２糸ガイド孔とを枠フレームに形成する際に位置決め設定ができ、かつ、枠フレームを竿体に取り付けた場合にも第１糸ガイド孔と第２糸ガイド孔との位置関係にズレが生ずることはなく、釣り糸を円滑に糸挿通経路に誘導し、糸挿通経路からリールに円滑に導くことができる。
【０００９】
請求項２に係る発明の特徴構成は、請求項１に係る発明において、前記枠フレームが竿体に取り付け固定される主フレーム部を設け、前記主フレーム部の前記リールに向かう面に第１糸ガイド孔を形成するとともに、前記主フレーム部より前記開口に沿った姿勢の補助フレーム部を延出し、前記補助フレーム部に前記第２糸ガイド孔を形成してある点にあり、その作用効果は次の通りである。
【００１０】
〔作用効果〕
つまり、第１糸ガイド孔を形成するためにリールに向かう面を備えた主フレーム部に対して第２糸ガイド孔を形成するために前記開口に沿った姿勢の補助フレーム部を設けることによって、第１糸ガイド孔と第２糸ガイド孔とを同一対象物である枠フレームに形成することができた。
【発明を実施するための最良の形態】
【００１１】
磯竿等に使用される中通し竿について説明する。図１に示すように、元竿１の筒状リールシート２にスピニングリール３を取り付けるとともに、筒状リールシート２より竿先側に開口４を設け、元竿１及び中竿、穂先竿等の竿体の内部空間を糸挿通経路Ａとする中通し竿を構成する。
【００１２】
図１及び図２に示すように、開口４の外方に釣り糸ガイド５を取付固定し、釣り糸ガイド５を元竿１に取付糸ａによって固定される枠フレーム６を装備している。
図２及び図３に示すように、枠フレーム６は、アルミニュウーム、ステンレス、チタン等の金属製であり、元竿１の外周面に載置される前後一対の脚部分６ａ、６ａと両脚部分６ａ、６ａから立ち上げた立設部分６ｂとを備えた主フレーム部６Ａと、主フレーム部６Ａの内側より元竿１の外周面に平行で前記開口４に沿った姿勢の補助フレーム部６Ｂとで構成されている。
【００１３】
図２及び図３に示すように、立設部分６ｂのスピニングリール３に向かう傾斜面に第１糸ガイド孔７を形成するとともに、第１糸ガイド孔７に第１ガイドリング７Ａを装着している。第１ガイドリング７Ａは、超硬合金、セラミック、サーメット等の硬質で滑動性に富む材料で形成されている。
【００１４】
図２及び図３に示すように、枠フレーム６の主フレーム部６Ａの内側面より元竿１の外周面に平行な状態で補助フレーム部６Ｂを延出するとともに、補助フレーム部６Ｂに第２糸ガイド孔８を形成し、第２糸ガイド孔８の内周縁の全周に亘ってリング状の第２ガイドリング８Ａを装着している。第２ガイドリング８Ａは、超硬合金、セラミック、サーメット等の硬質で滑動性に富む材料で形成されている。
ここで、補助フレーム部６Ｂは、前記開口４に沿った姿勢でその開口４を形成している外周面に平行に設けたが、その外周面に対して＋３５°〜―３５°に亘る範囲の角度で設けてもよい。
【００１５】
以上のような構成を採る釣り糸ガイド５を開口４の外側に取り付けるには、図１及び図２に示すように、枠フレーム６の前後脚部６ａ、６ａを元竿１の外周面に載置し、その前後脚部６ａ、６ａを、取付糸ａを巻付けて固定する。巻き付けた後は、樹脂塗料を巻き付けた取付糸ａの上から塗布して巻付け状態を固定する。
【００１６】
この取り付けた状態で、図１及び図２に示すように、枠フレーム６の補助フレーム部６Ｂが開口４を閉塞する位置に位置し、第２ガイドリング８Ａが開口４の縁部より開口中心側に位置して、釣り糸ｂを元上９の尻栓９Ａに向けて誘導する構成を採っている。
【００１７】
第２ガイドリング８Ａと開口４との位置関係が問題となるが、図２に示すように、第２ガイドリング８Ａにおける元竿１の内部空間に向かう内端ｃを元竿１の内周面より内側に多少とも入り込む構成でもよく、第２糸ガイド孔８の軸線方向を開口４に向かう半径方向に設定するとともに第２ガイドリング８Ａの位置が、開口４の外側に位置する構成を採ってもよい。但し、第２ガイドリング８Ａが開口４の外側に位置する場合には、第２ガイドリング８Ａの内端ｃに摺接して案内される釣り糸ｂが開口４の縁部に接触しない状態を確保する必要がある。
【００１８】
〔別実施形態〕
（１）  釣り糸ガイド５を取り付ける竿体としては元竿１に定めたもので実施形態を記載したが、元上９に開口４を形成して釣り糸ガイド５を取り付けることとしてもよい。
（２）  第２ガイドリング８Ａとしては、穂先側にのみ設けてもよい。
【図面の簡単な説明】
【００１９】
【図１】中通し竿の元竿部分を示す側面図
【図２】釣り糸ガイド取付構造を示す縦断側面図
【図３】（イ）釣り糸ガイドを示す側面図、（ロ）釣り糸ガイドを示す平面図
【符号の説明】
【００２０】
１              竿体（元竿）
３              リール（スピニングリール）
４              開口
５              釣り糸ガイド
６              枠フレーム
６Ａ            主フレーム部
６Ｂ            補助フレーム部
７              第１糸ガイド孔
８              第２糸ガイド孔
Ａ              糸挿通経路
ｂ              釣り糸
【図１】
2008035770.tif 000003
【図２】
2008035770.tif 000004
【図３】
2008035770.tif 000005